【事件の表示】
　特許第２８６８２２０号「出窓構造」の特許に対する特許異議の申立てについて、次のとおり決定する。
【結　論】
　訂正を認める。
　特許第２８６８２２０号の特許を維持する。
【理　由】
Ｉ．手続きの経緯
　本件特許第２８６８２２０号に係る発明は、平成１年２月３日に出願され、平成１０年１２月２５日にその特許の設定登録がされ、その後、平成１１年５月２６日に菅原秀明より、特許異議の申立てがなされ、平成１２年１月１１日（起案日）に取消理由通知がなされ、その指定期間内である平成１２年４月１４日に特許異議意見書の提出と共に訂正請求がなされたものである。
　　
II．訂正請求について
１．請求の趣旨及び訂正事項
　訂正請求の趣旨は、特許第２８６８２２０号の明細書を訂正請求書に添付した明細書のとおり訂正することを求めるものであり、そして、その訂正事項は、以下(１)〜(４)のとおりのものである。
(１)訂正事項ａ
　特許明細書の特許請求の範囲の請求項１（特許公報第１欄第１〜８行）の記載を、
「【請求項１】外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが外壁と直交する方向に圧縮されて取り付けられていることを特徴とする出窓構造。」と訂正する。
(２)訂正事項ｂ
　特許明細書の発明の詳細な説明の第３頁第１６行〜第４頁第４行（特許公報第３欄第１７〜２４行）の記載を、
「（課題を解決するための手段）
　上記目的を達成するために、建物の外壁に窓用開□部が形成され、該窓用開□部の室内側周囲には出窓取付金具が固定されており、前記窓用開□部に取り付けられる出窓には、前記出窓取付金具と結合可能な取付部材が固定され、かつ、前記出窓取付金具との結合状態で出窓取付金具と対向する位置に沿って、防水パッキンが外壁と直交する方向に圧縮されて取り付けられているものである。」と訂正する。
(３)訂正事項ｃ
　特許明細書の発明の詳細な説明の第４頁第５〜１５行（特許公報第３欄第２５〜３４行）の記載を、
　「（作用）
　本発明において出窓を窓用開口部に取り付ける際には、室内側から出窓を窓用開口部に挿入する。この挿入は、出窓に取り付けられている防水パッキンが窓用開口部の室内側周囲に固定されている出窓取付金具に当るまで行い、防水パッキンを外壁と直交する方向に圧縮して取り付ける。そして、出窓に固定されている取付部材と、前記出窓取付金具とを結合する。
　このようにして出窓の取り付けは完了し、また出窓の取り付けに伴って窓用開口部と出窓間の防水処理も完了する。
　従って、出窓を室内側から窓用開口部に取り付けることができ、しかも出窓と窓用開口部間の防水処理も室外側から行う必要がない。」と訂正する。
(４)訂正事項ｄ
　特許明細書の発明の詳細な説明の第１２頁第６〜１５行（特許公報第６欄第９〜１６行）の記載を、
「次に、前記窓用開口部１に前記出窓２を取り付ける場合の手順について説明する。
　出窓２を窓用開口部１に取り付ける際には、まず、室内側から出窓２を窓用開□部１に挿入する。この挿入は、出窓２に取り付けられている一次パッキン３が前記窓枠11,12,13の張り出し部111,121,131 に当接すると共に、防水パッキン４が前記窓枠11,12,13の張り出し部111,121,131 に当接するまで行い、防水パッキン４を外壁１と直交する方向に圧縮して取り付ける。」と訂正する。
２．訂正の要件の適否
２−１．訂正の目的の適否、新規事項の有無及び拡張・変更の存否
(１)訂正事項ａは、特許明細書の特許請求の範囲の請求項１に記載された「防水パッキンが取り付けられている」を「防水パッキンが外壁と直交する方向に圧縮されて取り付けられている」に限定して訂正するものであるから、特許請求の範囲の減縮を目的とするものと認められる。
　そして、訂正事項ａの「防水パッキンが外壁と直交する方向に圧縮されて取り付けられている」ことは、願書に添付した明細書（特許明細書）の第１１頁第９行〜第１２頁第５行（特許公報第５欄第４５行〜第６欄第８行）の「枠状の防水パッキン４は、ゴム、合成樹脂発泡体等からなり、上下左右の部材によって四角い枠状に形成されている。防水ッパッキン４の左右部材は、左右の室内側縦框２４，２４の外向き片２４２であって、前記各取付アングル３５，３６，３７が各取付プラケット１６，１７，１８に固定された結合状態において前記縦窓枠１１，１１の張り出し部１１１，１１１と対向する突出位置に取り付けられている。また、防水パッキン４の上の部材は、上庇２１の上面であって、上記結合状態において前記上窓枠１２の張り出し部１２１と対向する上向き折曲片２１１に沿って取り付けられている。防水パッキン４の下の部材は、下庇２２の下面であって、上記結合状態において前記下窓枠１３の張り出し部１３１と対向する下向き折曲片２２１に沿って取り付けられている。」という記載及び同じく願書に添付した明細書の第１２頁第８〜１５行（特許公報第６欄第１１〜１６行）の「出窓２を窓用開口部１に取り付ける際には、まず、室内側から出窓２を窓用開ロ部１に挿入する。この挿入は、……防水パッキン４が前記窓枠１１，１２，１３の張り出し部１１１，１２１，１３１に当接するまで行う。」という記載を、第１〜３図に照らしてみれば、防水パッキン４は、外壁と直交する方向で、窓枠１１，１２，１３の張り出し部１１１，１２１，１３１に対向し、該張り出し部１１１，１２１，１３１に当接しており、防水パッキン４は、ゴム、合成樹脂発泡体等からなっているから、当接状態において、圧縮されて取り付けられることは、当然の事柄であると認められるから、願書に添付した明細書又は図面に記載した事項の範囲内においてした訂正であるということができ、また、実質上特許請求の範囲を拡張し又は変更するものでもない。
(２)訂正事項ｂ、ｃ、ｄについては、それぞれ、特許請求の範囲の請求項１の訂正に伴い、特許請求の範囲の記載と発明の詳細な説明の記載との整合を図るために訂正するもので、明りようでない記載の釈明を目的とし、また、上記(１)訂正事項ａについて述べたように、願書に添付した明細書又は図面に記載した事項の範囲内の訂正であるということができ、特許請求の範囲を拡張し又は変更するものでもない。
２−２．独立特許要件についての判断
　上記訂正事項ａにおいて、訂正後における特許請求の範囲の請求項１に記載されている事項により構成される発明は、後述する「III．特許異議申立てについて」の「４．対比・判断」でしたように、特許異議申立ての理由及び取消理由では、特許を受けることができないとすることができず、また、他に特許を受けることができないとする理由も発見できないから、特許出願の際独立して特許を受けることができるものである。
３．むすび
　以上のとおりであるから、上記訂正請求は、平成６年法律第１１６号附則第６条第１項の規定によりなお従前の例によって適用される特許法第１２０条の４第２項及び同条第３項で準用する第１２６条第２項乃至第４項の規定に適合し、当該訂正は認められる。
　　
III．特許異議申立てについて
１．本件請求項１に係る発明
　本件訂正明細書の請求項１に係る発明（以下、「本件請求項１に係る発明」という。）は、本件訂正請求書に添付された訂正明細書の特許請求の範囲の請求項１に記載された次のとおりのものである。
「【請求項１】外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが外壁と直交する方向に圧縮されて取り付けられていることを特徴とする出窓構造。　」
２．特許異議申立ての理由及び取消理由の概要
２−１．特許異議申立ての理由の概要
　特許異議申立人は、甲第１号証（実公昭５４−３６５１８号公報）を提出し、本件請求項１に係る発明は、甲第１号証に記載された発明であるから、特許法第２９条第１項第３号の規定に該当し、特許を受けることができないものであり、本件請求項１に係る発明の特許は取り消されるべきものである旨主張している。
２−２．取消理由の概要
　取消理由は、上記特許異議申立人が提出した甲第１号証を刊行物１として引用し、本件請求項１に係る発明は、刊行物１記載の発明に基づいて当業者が容易に発明をすることができたものであるから、本件請求項１に係る発明の特許は、特許法第２９条第２項の規定に違反してなされたものである、としている。
３．甲第１号証（刊行物１）に記載の事項
　甲第１号証（刊行物１）には、
「第１図に示すように窓用開口部１を囲繞形成する建屋壁２の屋外側角部に後記する構成を有するところの水密用外窓枠３が周設且つ固装され、出窓本体４を屋内側から外窓枠３内に装嵌する時に、出窓本体４が窓用開口部１から所要量張り出された時点でそれ以上の張り出しが阻止され、この状態において外窓枠３側の連結用取付け金物５と、出窓本体４側の連結用取付け金物６との締結を行なうことで出窓本体４が建屋壁２に装備されるように成されており、特にこの出窓取付け施工において上記外窓枠３および出窓本体４の両連結用取付け金物５，６同士の締結作業を屋内側から実施できるように考慮した構成としている。」（第２欄第２２〜３４行及び第１図）、
「外窓枠３はその断面形状において外表面側がフラットな面３ａとされると共に、この面３ａの内側に水抜き用としての空間３ｂが周壁３ｃで形成され、且つこの周壁３ｃの一部を利用しほぼＣ字状の接続用フランジ３ｄがその開口部を建屋壁２に向けた状態で且つ屋内側に延設され、更には外窓枠３の内周面個にストッパ一用垂壁３ｅが突設的に周設されている。」（第２欄第３５行〜第３欄第５行及び第１図）、
「出窓本体４においてはその周枠１４の外径が、外窓枠３のストッパー用垂壁３ｅの先端で形成される外窓枠内径よりも若干量小径とされて出窓本体４の内嵌めに支障ないものとされると共に、同周枠１４の窓用開口部側（基部側）外周面に上記外窓枠内径よりも径大とされた外径を有する段状膨出枠部１４ａが形成され、更にこの膨出枠部１４ａよりも更に窓用開口部側にほぼＣ字状の接続用フランジ１４ｂがその開口部を建屋壁２に向けた状態で形成される。この接続用フランジ１４ｂに取付けられた出窓本体側連結用取付け金物６はその形状が上記窓枠側連結用取付け金物５とほぼ同一とされ、接続用フランジ１４ｂの対向突条片１５，１５と凹条溝６ｂ，６ｂとの係合にて取付けた状態から扁平板６ａ中間部の雌ねじ孔６ｅにビス１６を螺着することで固定され、且つその垂壁部６ｃにボルト挿通用孔６ｄが貫通される。」（第４欄第１２〜２８行及び第１、４図）及び
「上記ストッパー用垂壁３ｅと膨出枠部１４ａとの当接部にはシール用パッキン２０を介在させて水密構成を施こす。また接続用フランジ３ｄと膨出枠部１４ａとの間にもシール用リング２１を介在させて更に水密効果を向上させるものとする。」（第５欄第１１〜１６行及び第１図）と記載されている。
　以上の記載からみて、甲第１号証（刊行物１）には、以下の発明が記載されていると認められる。
「建屋壁２に窓用開口部１が形成され、該窓用開口部１の室内側周囲には外窓枠３が固定されており、前記窓用開口部１に取り付けられる出窓本体４には、前記外窓枠３と結合可能な連結用取付け金物６が固定され、かつ、前記外窓枠３との結合状態で外窓枠３のストッパー用垂壁３ｅと対向する出窓本体４の周枠１４の膨出枠部１４ａとの当接部にはシール用パッキン２０を介在させたことを特徴とする出窓構造。」
４．対比・判断
　本件請求項１に係る発明と甲第１号証（刊行物１）記載の発明とを比較すると、
　甲第１号証記載の発明の「建屋壁２」、「外窓枠３」、「出窓本体４」、「連結用取付け金物６」及び「シール用パッキン２０」は、それぞれ本件請求項１に係る発明の「建物の外壁」、「出窓取付金具」、「出窓」、「取付部材」及び「防水パッキン」に相当しているから、本件請求項１に係る発明は、甲第１号証記載の発明とは、以下の点で相違しているが、その余の点では実質上一致している。
　相違点
　本件請求項１に係る発明では、出窓には、出窓取付金具との結合状態で出窓取付金具と対向する位置に沿って、防水パッキンが外壁と直交する方向に圧縮されて取り付けられているのに対して、甲第１号証記載の発明では、外窓枠のストッパー用垂壁と対向する出窓本体の周枠の膨出枠部との当接部にシール用パッキンを介在させている点。
　そこで、上記相違点を検討すると、
　上記相違点において、本件請求項１に係る発明も甲第１号証記載の発明も共に、窓枠と出窓の枠との当接箇所に防水パッキンを配設した点においては一致するものの、甲第１号証には、明細書には、上記「III．３．甲第１号証（刊行物１）に記載の事項」として摘示したように、「上記ストッパー用垂壁３ｅと膨出枠部１４ａとの当接部にはシール用パッキン２０を介在させて水密構成を施こす。」（第５欄第１１〜１３行）との記載があるのみで、シール用パッキン２０は、予め出窓本体４の膨出枠部１４ａに取り付けておくのか、予め外窓枠３のストッパー用垂壁３ｅに取り付けておくのか、又は、別途、外窓枠３と出窓本体４とを一体化して後、介在さすのか等、明らかではなく、また、甲第１号証の第１図には、シール用パッキン２０は、ストッパー用垂壁３ｅの膨出枠部１４ａとの当接側（内方側）のみでなく、外方側にも介在されており、甲第１号証記載の発明は、上記相違点における本件請求項１に係る発明の「出窓には、出窓取付金具との結合状態で出窓取付金具と対向する位置に沿って、防水パッキンが外壁と直交する方向に圧縮されて取り付けられている」を具備していないものと認められる。　　そして、本件請求項１に係る発明は、上記相違点における事項を構成要件とすることにより、特許明細書第１４頁第１６〜１７行（特許公報第６欄第４９行〜第７欄第１行）に記載の、「出窓と窓用開口部間の防水処理も室外側からの作業なしに効率良く完了する」という特有の効果を奏するものと認められる。
　したがって、本件請求項１に係る発明は、甲第１号証に記載された発明であるとも、甲第１号証（刊行物１）記載の発明に基づいて当業者が容易に発明をすることができたものとすることもできず、特許異議申立ての理由及び取消理由は、理由がないものであるというべきである。
５．むすび　
　以上のとおりであるから、特許異議申立ての理由及び取消理由並びに証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年５月８日（２０００．５．８）
【訂正の要旨】
　訂正の要旨は、以下のとおりである。
１．特許請求の範囲の減縮を目的として、
　特許明細書の特許請求の範囲の請求項１（特許公報第１欄１〜８行）の記載を、
「【請求項１】外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが外壁と直交する方向に圧縮されて取り付けられていることを特徴とする出窓構造。」と訂正する。
２．特許明細書の特許請求の範囲の請求項１の訂正に伴い、その請求項１の記載と整合させ、明りようでない記載の釈明を目的として、
（１）特許明細書の発明の詳細な説明の第３頁第１６行〜第４頁第４行（特許公報第３欄第１７〜２４行）の記載を、
「（課題を解決するための手段）
　上記目的を達成するために、建物の外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが外壁と直交する方向に圧縮されて取り付けられているものである。」と訂正する。
（２）特許明細書の発明の詳細な説明の第４頁第５〜１５行（特許公報第３欄第２５〜３４行）の記載を、
「（作用）
　本発明において出窓を窓用開口部に取り付ける際には、室内側から出窓を窓用開口部に挿入する。この挿入は、出窓に取り付けられている防水パッキンが窓用開口部の室内側周囲に固定されている出窓用取付金具に当るまで行い、防水パッキンを外壁と直交する方向に圧縮して取り付ける。そして、出窓に固定されている取付部材と、前記出窓取付金具とを結合する。
　このようにして出窓の取り付けは完了し、また出窓の取り付けに伴って窓用開口部と出窓間の防水処理も完了する。
　従って、出窓を室内側から窓用開口部に取り付けることができ、しかも出窓と窓用開口部間の防水処理も室外側から行う必要がない。」と訂正する。
（３）　特許明細書の発明の詳細な説明の第１２頁第６〜１５行（特許公報第６欄第９〜１６行）の記載を、
「次に，前記窓用開口部１に前記出窓２を取り付ける場合の手順について説明する。
　出窓２を窓用開口部１に取り付ける際には、まず、室内側から出窓２を窓用開口部１に挿入する。この挿入は、出窓２に取り付けられている一次パッキン３が前記窓枠１１，１２，１３の張り出し部１１１，１２１，１３１に当接すると共に、防水パッキン４が前記窓枠１１，１２，１３の張り出し部１１１，１２１，１３１に当接するまで行い、防水パッキン４を外壁１と直交する方向に圧縮して取り付ける。」と訂正する。
（５４）【発明の名称】
出窓構造
（５７）【特許請求の範囲】
　【請求項１】　外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが
外壁と直交する方向に圧縮されて
【発明の詳細な説明】
　（産業上の利用分野）
　本発明は、建物の外壁に形成された窓用開口部と、該窓用開口部に取り付けられる出窓の構造に関する。
　（従来の技術）
　従来一般の出窓構造としては、特公昭５０−３１３８３号公報や実公昭５５−４３２５９号公報に示すようなものが知られている。この従来構造は、コンクリート製外壁の窓用開口部の室外側周囲に取付金具が取り付けられており、出窓は、この取付金具に取り付けられる構造になっている。
　しかしながら、このような従来一般の出窓構造にあっては、出窓を室外側から窓用開口部に取り付けなければならない。従って、二階以上の窓用開口部に出窓を取り付ける場合には、外壁に沿って足場を組み立て、クレーン等を利用して出窓を吊り上げて室外側から取り付けなければならず、その作業が非常に面倒であると共に、危険性を伴う等の問題があった。
　そこで、このような問題を解決するものとしては、特公昭６３−６２６３０号公報に示すようなものが知られている。この従来の出窓構造は、窓用開口部の室内側に取付金具を取り付けることにより、出窓を室内側から取り付け可能としたものである。
　（発明が解決しようとする課題）
　しかしながら、このような従来構造にあっては、出窓と窓用開口部間の防水処理が、出窓と外壁の内周端との間に施されているので、防水処理作業（気密材の装着及びコーキング材の充▲填▼）は、出窓を窓用開口部に取り付けた後、室外側から行わなければならない。
　尚、気密材を予め出窓側に取り付けておいたとしても、窓用開口部に出窓を挿入する際に、気密材が窓用開口部に取り付けられている取付金具を載り越えなければならないので、気密材の脱落及桝立置ズレの恐れがある。
　本考案は、上記の問題に着目し、出窓を室内側から窓用開口部に取り付けることができ、しかも出窓と窓用開口部間の防水処理も室外側から行う必要のない出窓構造を提供することを目的としている。
（課題を解決するための手段）
　上記目的を達成するために、建物の外壁に窓用開口部が形成され、該窓用開口部の室内側周囲には出窓取付金具が固定されており、前記窓用開口部に取り付けられる出窓には、前記出窓取付金具と結合可能な取付部材が固定され、かつ、前記出窓取付金具との結合状態で出窓取付金具と対向する位置に沿って、防水パッキンが
外壁と直交する方向に圧縮されて
　（作用）
　本発明において出窓を窓用開口部に取り付ける際には、室内側から出窓を窓用開口部に挿入する。この挿入は、出窓に取り付けられている防水パッキンが窓用開口部の室内側周囲に固定されている出窓取付金具に当るまで行
い、防水パッキンを外壁と直交する方向に圧縮して取り付ける。
　このようにして出窓の取り付けは完了し、また出窓の取り付けに伴って窓用開口部と出窓間の防水処理も完了する。
　従って、出窓を室内側から窓用開口部に取り付けることができ、しかも出窓と窓用開口部間の防水処理も室外側から行う必要がない。
　（実施例）
　以下、本発明の実施例を第１図〜第４図に基づいて詳述する。
　尚、第１図及び第２図は取付前の出窓構造を示す断面図で、第３図及び第４図は取付後の出窓構造を示す断面図である。
　まず、第１図及び第２図に基づいて、取付前の出窓構造を説明する。
　１は軽量発泡コンクリート等を素材とした外壁で、この外壁１には、方形状の窓用開口部１０が形成されている。
　この窓用開口部
１０
　また、前記各窓枠１１，１２，１３は、室外側枠部材１１ａ，１２ａ，１３ａと室内側枠部材１１ｂ，１２ｂ，１３ｂの二部材を結合することで構成されており、室外側枠部材１１ａ，１２ａ，１３ａには室内側枠部材１１ｂ，１２ｂ，１３ｂより窓用開口部２側へ張り出した張り出し部１１１，１２１，１３１が形成されている。
　更に、前記縦窓枠１１の室内側端面には、断面コの字形の縦枠取付ブラケット１６（特許請求の範囲における出窓取付金具に対応する）がリベット１９により固定され前記上横窓枠１２及び下横窓枠１３の室内側端面には、それぞれ断面Ｌの字形の上枠取付ブラケット１７及び不枠取付ブラケット１８（特許請求の範囲における出窓取付金具に対応する）がリベット１９により固定されている。そして、前記各取付ブラケット１６，１７，１８は、開口側端面が前記窓枠１１，１２，１３の室内側枠部材１１ｂ，１２ｂ，１３ｂとほぼ面一になるよう配置されている。
　２は前記窓用開口部１０に取り付けられる台形状の出窓で、該出窓２の周囲に沿って、枠状の一次パッキン３と、枠状の防水パッキン４とが取り付けられている。
　この出窓２は、上庇２１及び下庇２２を有し、該上庇２１と下庇２２の間には、左右一対の室外側縦框２３，２３と、左右一対の室内側縦框２４，２４が立設されている。また、前記左右の室外側縦框２３，２３は室外側上框２５と室外側下框２６とで連結されており、前記左右の室内側縦框２４，２４は室内側上框２７と室内側下框２８とで連結されている。また、前記室外側縦框２３と室内側縦框２４とは、妻側上框２９と妻側下框３０とで連結されている。そして、左右の室外側縦框２３，２３と室外側上框２５及び屋外側下框２６で囲まれた室外側の枠内には、ガラス板３１がパッキン３２を介して嵌め込まれている。更に、室外側縦框２３と室内側縦框２４と妻側上框２９及び妻側下框３０とで囲まれた妻側の枠内には、ガラス戸３３と網戸３４が嵌め込まれている。
　前記上庇２１の上面から下庇２２の下面までの距離（出窓２の高さ）は、前記上横窓枠１２の張り出し部１２１から下横窓枠１３の張り出し部１３１までの距離（窓用開口部１０の上下幅）よりも狭く形成されており、前記左右の室内側縦框２４，２４の外側端面間の距離（出窓２の幅）は前記左右の，縦窓枠１１，１１の張り出し部１１１，１１１間の距離（窓用開口部１０の横幅）よりも狭くなるように形成されている。
　また、前記左右の室内側縦框２４，２４の室内側端面には、それぞれ縦取付アングル３５，３５（特許請求の範囲における取付部材に対応する）がボルト３８とナット３９の締め付けにより固定されており、また室内側上框２７及び室内側下框２８の室内側端面には、それぞれ上取付アングル３６及び不取付アングル３７（特許請求の範囲における取付部材に対応する）が図示を省略した同様の固定手段により固定されている。
　前記縦取付アングル３５は、一片が室内側縦框２４に固定される框側固定片３５ａに形成され、他片が窓用開口部１０の縦枠取付ブラケット１６に固定される開口側固定片３５ｂに形成されている。また、前記上取付アングル３６及び下取付アングル３７も同様に、一片が室内側上框２７あるいは室内側下框２８に固定される框側固定片３６ａ，３７ａに形成され、他片が窓用開口部１０の上枠取付ブラケット１７あるいは下枠取付ブラケット１８に固定される開口側固定片３６ｂ，３７ｂに形成されている。
　また、縦取付アングル３５は、開口側固定片３５ｂが前記室内側縦框２４の外側端面よりも室外側へ突出するように固定されている。また、上取付アングル３６も開口側固定片３６ｂが前記室内側上框２７の上端面よりも上方へ突出するように固定され、下取付アングル３７も開口側固定片３６ｂが前記室内側下框２８の下端面よりも下方へ突出するように固定されている。
　そして、左右の縦取付アングル３５，３５の開口側固定片３５ａ，３５ａ間の幅は、左右の縦窓枠１１，ｌｌの張り出し部１１１，１１１間の距離（窓用開口部１０の横幅）よりも広く形成されており、上取付アングル３６の開口側固定片３６ｂから下取付アングル３７の開口側固定片３７ｂまでの距離は、前記上横窓枠１２の張り出し部１２１から下横窓枠１３の張り出し部１３１までの距離（窓用開口部１０の上下幅）よりも広く形成されている。
　また、上庇２１の室内側端部には、前記上取付アングル３６の窓側固定片３６ａの突出した部分に沿って折曲された上向き折曲片２１１が形成されており、下庇２２の室内側端部には、前記下取付アングル３７の窓側固定片３７ａの突出部分に沿って折曲された下向き折曲片２２１が形成されている。
　また、室内側縦框２４，２４には、前記縦取付アンクール３５の窓側固定片３５ａの突出した部分に沿って外向き片２４２が形成されている。
　そして、前記枠状の一次パッキン３は、ゴム，合成樹脂発泡体等からなり、上下左右の部材によって四角い枠状に形成されている。一次パッキン３の左右の部材は、左右の室内側縦框２４，２４の室外側端面であって、前記各取付アングル３５，３６，３７が各取付ブラケット１６，１７，１８に固定された結合状態において前記縦窓枠１１，１１の張り出し部１１１，ｌ１１と対向する位置に取り付けられている。また、一次パッキン３の上の部材は上庇２１の後端部上面であって、上記結合状態において前記上窓枠１２の張り出し部１２１と対向する位置に取り付けられている。一次パッキン３の下の部材は、下庇２２の後端部下面であって、上記結合状態におい位前記下窓枠１３の張り出し部１３１と対向する位置に取り付けられている。
　また、前記枠状の防水パッキン４は、ゴム．合成樹脂発泡体等からなり、上下左右の部材によって四角い枠状に形成されている。防水ッパッキン４の左右部材は、左右の室内側縦框２４，２４の外向き片２４２であって、前記各取付アングル３５，３６，３７が各取付ブラケット１６，１７，１８に固定された結合状態において前記縦窓枠１１，１１の張り出し部１１１，１１１と対向する突出位置に取り付けられている。また、防水パッキン４の上の部材は、上庇２１の上面であって、上記結合状態において前記上窓枠１２の張り出し部１２１と対向する上向き折曲片２１１に沿って取り付けられている。防水パッキン４の下の部材は、下庇２２の下面であって、上記結合状態において前記下窓枠１３の張り出し部１３１と対向する下向き折曲片２２１に沿って取り付けられている。
　次に、前記窓用開口部１に前記出窓２を取り付ける場合の手順について説明する。
　出窓２を窓用開口部１に取り付ける際には、まず、室内側から出窓２を窓用開口部１に挿入する。この挿入は、出窓２に取り付けられている一次パッキン３が前記窓枠１１，１２，１３の張り出し部１１１，１２１，１３１に当接すると共に、防水パッキン４が前記窓枠１１，１２，１３の張り出し部１１１，１２１，１３１に当接するまで行
い、防水パッキン４を外壁１と直交する方向に圧縮して取り付ける。
　そして、出窓２に固定されている各取付アングル３５，３６，３７と、各窓枠１１，１２，１３に固定されている各取付ブラケット１６，１７，１８とを相互にモノボルト４０で結合する。
　最後に側面仕上材４１，４１、上面仕上材４２、下面仕上材４３で仕上げを行う。前記側面仕上材４１，４１は室内側縦框２４に形成された溝２４１に装着する。前記上面仕上材４２は室外側上框２５に形成された溝２５１に装着し、下面仕上材４３は室外側下框２６に形成された溝２６１に装着する。
　このようにして出窓２の取り付けは完了し、また出窓２の取り付けに伴って窓用開口部１と出窓２間の防水処理も完了する（第３図及び第４図参照）。
　以上のように、本実施例の出窓構造にあっては、窓用開口部１に出窓２を室内側から取り付けることができるので、足場を組み立てたりする必要なく安全性を確保して取り付け作業を行うことができる。また、窓用開口部１と出窓２間の防水処理も、室外側からの作業なしに出窓２の取り付けに伴って効率良く完了するという効果が得られる。
　以上、本発明の実施例を図面により詳述してきたが、具体的な構成はこの実施例に限られるものではなく本発明の要旨を逸脱しない範囲の設計変更等があっても本発明に含まれる。
　例えば、実施例では、台形状の出窓を例にとって説明したが、三角形状，円形状の出窓に適用してもよい。
　また、窓用開口部に固定された取付ブラケット（出窓取付金具）と出窓に固定された取付アングル（取付部材）の結合手段はモノボルトに限らず、ボルト及びナットやリベット等を用いてもよい。
　（発明の効果）
　以上説明してきたように、本発明の出窓構造にあっては、窓用開口部に出窓を室内側から取り付けることができるので、足場を組み立てたりする必要なしに安全性を確保して取付作業を行うことができ、出窓と窓用開口部間の防水処理も室外側からの作業なしに効率良く完了するという効果が得られる。
【図面の簡単な説明】
第１図は本発明実施例の出窓構造の出窓取付前の状態を示す横断面図、第２図は前記構造の出窓取付前の状態を示す縦断面図、第３図は前記出窓構造の出窓取付後の状態を示す横断面図、第４図は前記出窓構造の出窓取付後の状態を示す縦断面図である。
　１…外壁
　１０…窓用開口部
　１１，１２，１３…窓枠（出窓取付金具）
　１６，１７，１８…取付ブラケット（出窓取付金具）
　２…出窓
　３５，３６，３７…取付アングル（取付部材）
　４…防水パッキン